(57)【要約】      （修正有）【課題】新聞を入れる部分の前に郵便物等を入れる部分を作り、区分して受け取れるようにすること、また、新聞は早朝の暗い時の配達のために、新聞受けに蛍光テープ又は蛍光塗料を付けることにより、その所在を明らかにする。【解決手段】中仕切り防水布帛と、中仕切り防水布帛の縦の長さを短くした前面防水布帛とを底辺を揃えて重ね合わせたものと、別に中仕切り防水布帛と同形の背面防水布帛の上辺に上面と前面口部を覆う幅広の前面口部覆い防水布帛を接続したものとのそれぞれ底面と両側面を適当幅の防水布帛によりまちを設けてなるまち付き新聞及び郵便受け、及び蛍光テープ等を前面の縁に付ける。【選択図】図１
0003103215.tif 000002
【実用新案登録請求の範囲】
【請求項１】
新聞の一面を横に二つ折りし、更に縦に三つ折りしたものの大きさに、縦横共充分に余裕を持たせた大きさの中仕切り防水布帛と、中仕切り防水布帛の縦の長さを短くした前面防水布帛とを底辺を揃えて重ね合わせたものと、別に中仕切り防水布帛と同形の背面防水布帛の上辺に上面と前面口部を覆う幅広の前面口部覆い防水布帛を接続したものとのそれぞれ底面と両側面を適当幅の防水布帛によりまちを設けてなるまち付き新聞及び郵便受け。
【請求項２】
前面口部覆い防水布帛の前面外周と前面防水布帛の前面外周に蛍光テープを縫着させたもの、又は蛍光塗料を塗布したことを特徴とする請求項１のまち付き新聞及び郵便受け。
【考案の詳細な説明】
【技術分野】
【０００１】
この考案は、一般家庭に配達される新聞、郵便等を受け取る容入袋に関するものである。
【背景技術】
【０００２】
従来、新聞受けとしては、金属性又は木製の郵便箱が設置されているのが通常であるが、取り付け場所の関係等によりビニール製等の新聞受けも用いられている。しかし、そのビニール製等の新聞受けは、新聞専用に考えられていて、先に郵便物、チラシ等が入れられていた場合には、新聞を入れようとしても郵便物等に支えて新聞の一部分がはみ出すことになり、偶々の雨に新聞が濡れることも起こり得る。
【特許文献１】特に見当たらない。
【非特許文献１】街頭で新聞単独の新聞受けは見掛けることがある。
【考案の開示】
【考案が解決しようとする課題】
【０００３】
この考案は、新聞を入れる部分の前に郵便物等を入れる部分を作り、区分して受け取れるようにすることにより、新聞は新聞専用に入れられるようにするものである。
【０００４】
また、新聞は早朝の暗い時の配達のために、新聞受けに蛍光テープ又は蛍光塗料を付けることにより、その所在を明らかにする。
【課題を解決するための手段】
【０００５】
この考案は、新聞の一面を横に二つ折りし、更に縦に三つ折りしたものの大きさに、縦横共充分に余裕を持たせた大きさの中仕切り防水布帛と、中仕切り防水布帛の縦の長さを短くした前面防水布帛とを底辺を揃えて重ね合わせたものと、別に中仕切り防水布帛と同形の背面防水布帛の上辺に上面と前面口部を覆う幅広の前面口部覆い防水布帛を接続したものとのそれぞれ底面と両側面を適当幅の防水布帛によりまちを設けてなるまち付き新聞及び郵便受けである。
【０００６】
また、前面口部覆い防水布帛の前面外周と、前面防水布帛の前面外周に蛍光テープを縫着させたもの、又は蛍光塗料を塗布してまち付き新聞及び郵便受けとするものである。
更に、郵便物の存在がわかるように、前面防水布帛に透明樹脂による小窓を設ける。
【０００７】
この考案は、まちの上端の両サイドの内側に人工皮革を使用しているから、差込口の幅がぺしゃんこにならず、新聞の挿入が容易にできる。また、前面口部覆い防水布帛の垂れ下り部の内側にポリ塩化ビニル樹脂シートを介在させることにより、１、平らな状態の維持。２、印刷文字の既存防止。３、開閉及び取り付けの容易さ。４、ケース全体のバランスの維持。等の効果が期待できる。更に前面口部覆い防水布帛と前面防水布帛とにマジックテープ（商標名）を使用することにより事前に開くことを防止する。
両側面のマチの上端を背面に高く傾斜させることもできる。
【考案の効果】
【０００８】
この考案は、新聞専用の容入個所と郵便物等の容入個所とが区分されていて、新聞専用の容入個所には何も入れられていないから、抵抗なくスムースに新聞を入れることができる効果がある。
また、新聞は早朝の暗い時の配達のために、新聞受けに蛍光テープ又は蛍光塗料を付けることにより、その所在を明らかにする。
【考案を実施するための最良の形態】
【０００９】
この考案の細部については、変更可能であるが、最良の形態を実施例で示す。
【実施例１】
【００１０】
実施例について図面１〜３を参照して説明する。
新聞受け本体１は、中仕切り防水布帛２（幅２０ｃｍ、高さ３１ｃｍ）と背面防水布帛３（中仕切り防水布帛２とほぼ同形）とを、まち防水布帛４（幅６ｃｍ）により底面及び両側面を構成する上部開口の容器体とする。
前面防水布帛５（幅２０ｃｍ、高さ２２ｃｍ）を中仕切り防水布帛２の前面に底辺を合わせ、底面及び両側面を縫着して郵便差し入れ部とする。
【００１１】
背面防水布帛３と一体である前面口部覆い防水布帛６（幅２３ｃｍ、長さ２７ｃｍ）により上部及び前部を覆うように折り曲げて前面に垂らす。
前面口部覆い防水布帛６の内側にポリ塩化ビニルシート７（幅２３ｃｍ、高さ１８ｃｍ）を取り付ける。また、ポリ塩化ビニルシート７と前面防水布帛５との対応位置にマジックテープ１１を取り付ける。
【００１２】
全体に縁部及び縫着部に防水布帛による縁閉じ８を設ける。
また、前面口部覆い防水布帛の前面外周と、前面防水布帛の前面外周に蛍光テープ９を縫着させたもの、又は蛍光塗料９を塗布してまち付き新聞及び郵便受けとするものである。
【００１３】
さらには、前面防水布帛５には、透明シートによる小窓１０（例えばクラブ郵便マーク等）を設ける。
背面防水布帛３の裏面に取り付けよう紐を取り付けるための取り付け部を設ける。
また、マチ防水布帛４の底面に水抜き小穴を設けるものである。
【産業上の利用可能性】
【００１４】
新聞受け及び郵便受けは、一般家庭等において必須のものであるが、郵便箱は設置箇所に制限を受けるが、この考案のまち付き新聞及び郵便受けは、殆ど設置箇所の制限を受けることなく設置できる。従って、新聞又は郵便の配達が迅速かつ容易にできる。
また、各新聞社間で色分け等をしておけば、配達間違いも少なくなる。
【図面の簡単な説明】
【００１５】
【図１】この考案の前面図である。
【図２】この考案の側面図である。
【図３】この考案の上部開放した前面図である。
【符号の説明】
【００１６】
１  新聞受け本体
２  中仕切り防水布帛
３  背面防水布帛
４  まち部防水布帛
５  前面防水布帛
６  前面口部覆い防水布帛
７  ポリ塩化ビニルシート
８  防水布帛による縁閉じ
９  蛍光テープ
１０  小窓
１１  マジックテープ（商品名）  
【図１】
0003103215.tif 000003
【図２】
0003103215.tif 000004
【図３】
0003103215.tif 000005
【手続補正書】
【提出日】平成16年3月12日(2004.3.12)
【手続補正１】
【補正対象書類名】明細書
【補正対象項目名】０００７
【補正方法】変更
【補正の内容】
【０００７】
この考案は、まちの上端の両サイドの内側に人工皮革を使用しているから、差込口の幅がぺしゃんこにならず、新聞の挿入が容易にできる。また、前面口部覆い防水布帛の垂れ下り部の内側にポリ塩化ビニル樹脂シートを介在させることにより、１、平らな状態の維持。２、印刷文字の毀損防止。３、開閉及び取り付けの容易さ。４、ケース全体のバランスの維持。等の効果が期待できる。更に前面口部覆い防水布帛と前面防水布帛とにマジックテープ（商標名）を使用することにより事前に開くことを防止する。
両側面のマチの上端を背面に高く傾斜させることもできる。